(57)【要約】【課題】スキャン対象原稿照射用光源又は静電気除去用光源として使用されるＬＥＤアレイにおいて、光源であるＬＥＤから照射される光の反射効率を下げることなく、ＬＥＤアレイに載置される様々な部品の載置場所を明確に示すことを目的とするＬＥＤアレイ。【解決手段】基板と、前記基板に複数実装される白色のＬＥＤと、前記基板を被覆し、前記ＬＥＤから照射される光を反射する白色のレジスト膜と、前記白色のレジスト膜上に白色で印刷され、前記ＬＥＤから照射される光を反射するシルクと、を具備し、前記シルクは、識別情報を文字列で示すとともに、前記ＬＥＤの載置場所にそれぞれ対応するように隣接して設けられたことを特徴とするスキャン対象原稿照射用光源又は静電気除去用光源として使用されるＬＥＤアレイ。【選択図】図４
2010219208.tif 000002
【特許請求の範囲】
【請求項１】
基板と、
前記基板に複数実装される白色のＬＥＤと、
前記基板を被覆し、前記ＬＥＤから照射される光を反射する白色のレジスト膜と、
前記白色のレジスト膜上に白色で印刷され、前記ＬＥＤから照射される光を反射するシルクと、
を具備し、
前記シルクは、識別情報を文字列で示すとともに、前記ＬＥＤの載置場所にそれぞれ対応するように隣接して設けられたことを特徴とするスキャン対象原稿照射用光源として使用されるＬＥＤアレイ。
【請求項２】
基板と、
前記基板に複数実装される白色のＬＥＤと、
前記基板を被覆し、前記ＬＥＤから照射される光を反射する白色のレジスト膜と、
前記白色のレジスト膜上に白色で印刷され、前記ＬＥＤから照射される光を反射するシルクと、
を具備し、
前記シルクは、識別情報を文字列で示すとともに、前記ＬＥＤの載置場所にそれぞれ対応するように隣接して設けられたことを特徴とする静電気除去用光源として使用されるＬＥＤアレイ。
【請求項３】
抵抗値の異なる複数の抵抗を具備し、
前記シルクは、識別情報を文字列で示すとともに、前記抵抗の載置場所にそれぞれ対応するように隣接して設けられたことを特徴とする請求項１又は２記載のＬＥＤアレイ。
【請求項４】
前記複数の抵抗は、前記ＬＥＤの照射光が当たる表面を白色としたことを特徴とする請求項３のＬＥＤアレイ。
【請求項５】
前記レジスト膜の色は前記シルクの色に対して明度が高く、前記レジスト膜の色と前記シルクの色とが識別可能となっていることを特徴とする請求項１から４記載のＬＥＤアレイ。
【発明の詳細な説明】
【技術分野】
【０００１】
本発明は、スキャン対象原稿照射用光源又は画像形成部おける静電気除去用光源として使用される、ＬＥＤ（Light Emitting
Diode：発光ダイオード）アレイに関する。
【背景技術】
【０００２】
基板をレジスト膜でコーティングし、前記基板に複数のＬＥＤ及び複数の抵抗等の部品を載置したものをＬＥＤアレイという。画像形成装置における画像読取部では、スキャン対象の原稿照射用の光源としてＬＥＤアレイが使用されている。ＬＥＤアレイの基板は長辺と短辺を有する長方形であり、長辺は最大読み取り幅と同等の幅を有している。基板の長手方向に、直線状に所定の間隔をおいて複数のＬＥＤが配置されている。
【０００３】
基板に載置されたＬＥＤから、スキャン対象原稿に向けて光が照射され、原稿から反射した光は複数個の反射ミラーにより順次反射されて集光レンズへ導かれる。そして、集光レンズに導かれた反射光はＣＣＤセンサに結像されて、ＣＣＤセンサにより電気信号に変換されて出力されることは知られている。そこで、ＬＥＤアレイにおける基板の、ＬＥＤを載置する側の表面を光反射に優れた色にすることは効果的である。このため、光反射に優れた色として、白色のレジスト膜により基板の表面がコーティングされている。（特許文献１）。
【０００４】
また、画像形成装置における画像形成部においては、静電気除去用の除電ランプの光源としてＬＥＤが使用されている。除電ランプは、転写の終了した感光体ドラムの表面の電位を下げると共に電位の分布を均一化している（特許文献２）。一般的に、除電ランプ用のＬＥＤが載置される基板は、長辺と短辺を有する長方形であり、長辺は静電気除去対象の感光体ドラムと同等の幅を有している。基板の長手方向に、直線状に所定の間隔をおいて複数のＬＥＤが配置されている。ＬＥＤアレイに載置されたＬＥＤから帯電したドラムに対して光が照射され、ドラムの表面に帯電した静電気を除去している。
【０００５】
さらに、基板上にはＬＥＤだけでなく抵抗又はトランジスタ等といった様々な部品が載置される。そこで、それらの部品の載置場所を明確に指示するために、各部品の実装位置の近傍にその部品の回路図上の記号を示す種別記号と識別番号とから構成される回路記号と、実装位置を示す外形マークとをシルク印刷で印刷して表示されている（特許文献３）。
【先行技術文献】
【特許文献】
【０００６】
【特許文献１】特開２００１−７７９８１号公報
【特許文献２】特開平６−２７６３７７号公報
【特許文献３】特開２００２−３４４０９８号公報
【発明の概要】
【発明が解決しようとする課題】
【０００７】
スキャン対象原稿照射用光源又は静電気除去用光源として使用されるＬＥＤアレイにおいて、白色のレジスト膜で基板をコーティングした場合、ＬＥＤから照射される光のレジスト膜における反射率を高めて、効率的に光が反射される。しかし、ＬＥＤアレイ上にはＬＥＤだけでなく、抵抗及びトランジスタ等といった様々な部品も載置される。そこで本発明の課題は、反射効率を下げることなく、ＬＥＤアレイに載置される様々な部品の載置場所を明確に示すことができるＬＥＤアレイを提供することにある。
【課題を解決するための手段】
【０００８】
本発明のスキャン対象原稿照射用光源として使用されるＬＥＤアレイは、基板と、前記基板に複数実装される白色のＬＥＤと、前記基板を被覆し、前記ＬＥＤから照射される光を反射する白色のレジスト膜と、前記白色のレジスト膜上に白色で印刷され、前記ＬＥＤから照射される光を反射するシルクと、を具備し、前記シルクは、識別情報を文字列で示すとともに、前記ＬＥＤの載置場所にそれぞれ対応するように隣接して設けられたことを特徴とする。
【０００９】
本発明の静電気除去用光源として使用されるＬＥＤアレイは、基板と、前記基板に複数実装される白色のＬＥＤと、前記基板を被覆し、前記ＬＥＤから照射される光を反射する白色のレジスト膜と、前記白色のレジスト膜上に白色で印刷され、前記ＬＥＤから照射される光を反射するシルクと、を具備し、前記シルクは、識別情報を文字列で示すとともに、前記ＬＥＤの載置場所にそれぞれ対応するように隣接して設けられたことを特徴とする。
【００１０】
本発明のＬＥＤアレイにおいては、抵抗値の異なる複数の抵抗を具備し、前記シルクは、識別情報を文字列で示すとともに、前記抵抗の載置場所にそれぞれ対応するように隣接して設けられたことを特徴とする。
【００１１】
本発明のＬＥＤアレイにおいては、前記複数の抵抗は、前記ＬＥＤの照射光が当たる表面を白色としたことを特徴とする。
【００１２】
本発明のＬＥＤアレイにおいては、前記レジスト膜の色は前記シルクの色に対して明度が高く、前記レジスト膜の色と前記シルクの色とが識別可能となっていることを特徴とする。
【発明の効果】
【００１３】
本発明のスキャン対象原稿照射用光源として使用されるＬＥＤアレイによれば、ＬＥＤは、発光効率の良い白色のＬＥＤを使用している。基板は白色のレジスト膜でコーティングされており、レジスト膜上に白色で印刷されたシルクが設けられている。従って、白色以外のＬＥＤから照射された光が白色以外のレジスト膜及び白色以外のシルクに反射するＬＥＤアレイよりも、白色のＬＥＤから照射された光が白色のレジスト膜及び白色のシルクに反射するＬＥＤアレイの方が、レジスト膜及びシルクにおける光の反射率が向上し効率的に光を反射することができる。これにより、少ない電流で必要な光量を得ることができるので、光源となるＬＥＤは少量の電気消費量で済む。
【００１４】
また、シルクはＬＥＤの載置場所にそれぞれ対応するように隣接して設けられており、ＬＥＤの識別情報を示す文字列である。従って、シルクは、反射率の低下を抑制しつつＬＥＤを載置するための載置場所を明確に指示できるという効果を奏する。
【００１５】
本発明の静電気除去用光源として使用されるＬＥＤアレイによれば、スキャン対象原稿照射用光源として使用されるＬＥＤアレイと同様に、白色のＬＥＤを使用し、基板を白色のレジスト膜でコーティングし、レジスト膜上に白色で印刷されたシルクを設けている。従って、スキャン対象原稿照射用光源として使用されるＬＥＤアレイと同様の効果を奏する。すなわち、ＬＥＤから照射される光の反射率を向上させることができる。これにより光源となるＬＥＤが省電力化される。
【００１６】
また、シルクはＬＥＤの載置場所にそれぞれ対応するように隣接して設けられており、ＬＥＤの識別情報を示す文字列である。従って、シルクは、反射率の低下を抑制しつつＬＥＤを載置するための載置場所を明確に指示できるという効果を奏する。
【００１７】
本発明のＬＥＤアレイによれば、ＬＥＤの載置と同様に抵抗を載置する場合においても、シルクは抵抗の載置場所にそれぞれ対応するように隣接して設けられており、抵抗の識別情報を示す文字列である。従って、シルクは、反射率の低下を抑制しつつ抵抗を載置するための載置場所を明確に指示できるという効果を奏する。これにより、抵抗値の異なる複数の抵抗を載置することが容易になる。
【００１８】
本発明のＬＥＤアレイによれば、抵抗においてＬＥＤの照射光が当たる表面が白色となっていることより、光の反射率が向上し効率的に光を反射することができる。これにより、反射率を向上させることにより少ない電流で必要な光量を得ることができるので、光源となるＬＥＤは少量の電気消費量で済む。
【００１９】
本発明のＬＥＤアレイによれば、レジスト膜の色はシルクの色に対して高い明度を示す白色が使用されている。これにより、組み付け作業員は組み付け時に、部品を載置する場所が指示されたシルクの文字を確実に認識することができる。また、レジスト膜の面積はシルクの面積より大きい。従って、ＬＥＤから照射される照射光の照射面積が大きいレジスト膜の色をシルクの色よりも高い明度の白色にすることで、より効率的に光を反射することができる。これにより、光源となるＬＥＤは少量の電気消費量で済む。
【図面の簡単な説明】
【００２０】
【図１】本発明のデジタル複合機の一実施例を示す図である。
【図２】デジタル複合機の画像読取部の詳細を示す図である。
【図３】デジタル複合機の画像形成部の詳細を示す図である。
【図４】図２又は図３におけるＬＥＤアレイの詳細を示す拡大図である。
【発明を実施するための最良の形態】
【００２１】
以下に、本発明の好ましい実施形態を説明する。尚、以下に説明する実施形態は説明する上で好ましい具体例であるため種々の限定がなされているが、本発明を特に限定する旨を明記しない限り、本発明はこれらに限定されるものではない。
【実施例】
【００２２】
図１は、本発明のデジタル複合機１の一実施例を示す図である。デジタル複合機１は、画像読取部２と、給紙部４と、画像形成部５と、排出部６と、原稿載置部７と、を具備している。画像読取部２は読み取りユニット３を具備している。
【００２３】
画像読取部２に具備された読み取りユニット３は副走査方向に移動し、原稿載置部７に置かれた原稿を読み取る。給紙部４に収容された記録紙が画像形成部５まで搬送され、読み取りユニット３で読み取った原稿の画像データが、画像形成部５で記録紙に印字される。画像データが印字された記録紙は排出部６に排出される。
【００２４】
図２は、デジタル複合機の画像読取部の詳細を示す図である。画像読取部２は、読み取りユニット３と、原稿載置部７と、記憶部１２と、を具備している。読み取りユニット３は、光源であるＬＥＤを具備するＬＥＤアレイ８と、反射ミラー９と、集光レンズ１０と、ＣＣＤセンサ１１と、を具備している。
【００２５】
原稿載置部７に原稿を載置する。読み取りユニット３は、副走査方向に移動し、原稿全体を読み取る。読み取りユニット３において、スキャン対象原稿照射用光源として使用されるＬＥＤアレイ８から原稿載置部７に載置された原稿に向けて光が照射される。照射された光は原稿に当たり反射する。原稿から反射した反射光は、複数個設けられた反射ミラー９により順次反射されて集光レンズ１０へ導かれる。そして、集光レンズ１０に導かれた反射光はＣＣＤセンサ１１に結像されて、ＣＣＤセンサ１１により電気信号に変換されて出力される。ＣＣＤセンサ１１により出力された電気信号は記憶部１２で記憶される。記憶部１２で記憶した電気信号である画像データが記録紙に印字される。
【００２６】
図３は、デジタル複合機の画像形成部の詳細を示す図である。画像形成部５は、感光体ドラム１３と、帯電ユニット１４と、露光ユニット１５と、現像ユニット１６と、転写ユニット１７と、除電ユニット１８と、静電気除去用光源として使用されるＬＥＤアレイ８と、クリーニングユニット１９と、を具備している。
【００２７】
画像形成部５において、感光体ドラム１３の表面の電荷を均一にするために、帯電ユニット１４で感光体ドラム１３の表面の帯電を行う。均一に帯電された感光体ドラム１３の表面は、露光ユニット１５から光が照射されることにより静電潜像が形成される。静電潜像に現像ユニット１６から供給されるトナーが付着して、静電潜像が可視像化される。転写ユニット１７により、感光体ドラム１３の表面のトナーが記録紙に転写される。
【００２８】
しかし、記録紙に転写されず感光体ドラム１３の表面に残留するトナーも存在する。残留したトナーを除去するために、感光体ドラム１３の表面に残った電荷を出来る限りゼロにするために、静電気除去用光源として使用されるＬＥＤアレイ８から感光体ドラム１３に向けて光が照射される。照射された光は感光体ドラム１３に当たり、感光体ドラム１３の表面の電位が落ちて、感光体ドラム１３に付着するトナーの付着力が弱まる。クリーニングユニット１９により、付着力が弱まった残留トナーを除去する。
【００２９】
図４は、図２又は図３におけるＬＥＤアレイ８の詳細を示す拡大図である。ＬＥＤアレイ８は、基板２０と、白色のレジスト膜２１と、白色のＬＥＤ２２と、抵抗２３と、白色で印刷されたシルク２４と、を具備している。ＬＥＤアレイ８はスキャン対象原稿照射用光源又は静電気除去用光源として使用できる。
【００３０】
基板２０は、長辺と短辺を有する長方形である。基板２０の長辺は最大読み取り幅又は静電気除去対象の感光体ドラム１３と同等の幅を有している。複数のＬＥＤ２２は、基板２０の長手方向に、直線状に所定の間隔をおいて配置される。ＬＥＤ２２が一直線上に配置されることで、均一な光を供給することができる。また、抵抗値の異なる複数の抵抗２３は、基板２０上に配置される。図４では、抵抗２３は、ＬＥＤ２２が配置された一直線上とは異なる位置に配置される。しかし、抵抗２３は、ＬＥＤ２２とＬＥＤ２２との間に配置されても構わない。
【００３１】
基板２０は、ＬＥＤ２２及び抵抗２３が載置される側のみ白色のレジスト膜２１で被覆されている。基板２０を被覆するレジスト膜２１の色を白色にすることで、レジスト膜２１の色が白色以外の場合と比較して、ＬＥＤ２２から照射される光の反射率を向上させることができる。但し、ＬＥＤ２２及び抵抗２３が載置される場所は、レジスト膜２１によって被覆されない。
【００３２】
レジスト膜２１の上に白色のシルク２４が印刷されている。シルク２４は、各部品の載置場所を明示する役割を果たしている。シルク２４は、各部品の載置場所にそれぞれ対応するとともに、各部品に隣接して設けられている。
【００３３】
図４で示すように、ＬＥＤ２２の載置場所をローマ字の“ＬＥＤ”及び“数字”という文字列で示している。文字列の中の数字は部品の個数に応じて増加する。具体的には、“ＬＥＤ１、ＬＥＤ２、ＬＥＤ３、ＬＥＤ４、ＬＥＤ５、ＬＥＤ６…”というように、ＬＥＤ２２が載置される場所を指示する文字列がシルク２４で印刷される。また、抵抗２３は、載置場所をローマ字の“Ｒ”及び“数字”という文字列で示している。文字列の中の数字は部品の個数に応じて増加する。具体的には、“Ｒ１、Ｒ２…”というように、抵抗２３が載置場所を指示する文字列がシルク２４で印刷される。
【００３４】
これにより、ＬＥＤ２２及び抵抗２３が載置される場所を確実に指示することができる。従って、組み付け作業員は、シルク２４により指示される部品載置場所に部品を載置することができる。特に、抵抗２３は抵抗値の異なる複数の抵抗２３が存在するので、シルク２４により配置場所を指示されることで配置が容易となる。
【００３５】
しかし、基板２０に載置されるのはＬＥＤ２２及び抵抗２３だけとは限らない。ＬＥＤ２２及び抵抗２３の他にトランジスタ等の様々な部品が載置されてもよい。例えば、基板２０上にトランジスタを載置する場合、トランジスタの載置場所を、ローマ字の“Ｑ”及び“数字”という文字列で“Ｑ１、Ｑ２…”というように示す。また、文字列の中の数字は部品の個数に応じて増加する。
【００３６】
トランジスタは、ＬＥＤ２２及び抵抗２３と同様に基板２０上に配置される。また、トランジスタは、抵抗２３と同様にＬＥＤ２２が配置された一直線上とは異なる位置に配置されても、ＬＥＤ２２とＬＥＤ２２との間に配置されても構わない。
【００３７】
以上より、レジスト膜２１は部品の載置場所を除く基板２０全面に設けられている。シルク２４は各部品の載置場所にそれぞれ対応するように隣接して設けられ、各部品の識別情報を示す文字列である。このような構成より、基板２０においてレジスト膜２１の面積はシルク２４の面積より大きい。従って、ＬＥＤ２２から照射される照射光の照射面積が大きいレジスト膜２１の色をシルク２４の色よりも高い明度の白色にすることで、より効率的に光を反射することができる。これにより、光源となるＬＥＤは少量の電気消費量で済む。
【００３８】
また、レジスト膜２１の色は、シルク２４の色に対して高い明度を示す白色が使用されている。これにより、レジスト膜２１とシルク２４とが識別可能になっている。そのため組み付け作業員が組み付け作業時に、レジスト膜２１の色に対してシルク２４の色を確実に認識することができる。従って、白色で印刷されたシルク２４の指示通りに、ＬＥＤ２２及び抵抗２３を基板２０に確実に載置することができる。
【００３９】
レジスト膜２１と同様に、シルク２４の色も白色にすることで、シルク２４が白色以外の色の場合と比較して、ＬＥＤ２２から照射される光の反射率を向上させることができる。それに応じて、抵抗２３を基板２０に載置した際、抵抗２３はＬＥＤ２２の照射光が当たる表面を白色にする。抵抗２３の表面を白色にすることで、反射率の低下を抑制することができる。従って、ＬＥＤ２２から照射される光の反射率を上げ、効率的に光を反射することができる。
【００４０】
以上に説明したように、本発明のＬＥＤアレイ８は、白色のＬＥＤ２２から照射された光が白色のレジスト膜２１及び白色のシルク２４に反射する。これにより、レジスト膜２１及びシルク２４における光の反射率が向上し効率的に光を反射することができる。従って、少ない電流で必要な光量を得ることができるので、光源となるＬＥＤ２２は少量の電気消費量で済む。
【００４１】
また、シルク２４はＬＥＤ２２の載置場所にそれぞれ対応するように隣接して設けられており、ＬＥＤ２２の識別情報を示す文字列である。また、レジスト２１膜の色はシルク２４の色に対して高い明度を示す白色が使用されている。従って、シルク２４はＬＥＤ２２を載置するための載置場所を明確に指示できるという効果を奏する。
【符号の説明】
【００４２】
１          デジタル複合機
２          画像読取部
３          読み取りユニット
４          給紙部
５          画像形成部
６          排出部
７          原稿載置部
８          ＬＥＤアレイ
９          反射ミラー
１０          集光レンズ
１１          ＣＣＤセンサ
１２          記憶部
１３          感光体ドラム
１４          帯電ユニット
１５          露光ユニット
１６          現像ユニット
１７          転写ユニット
１８          除電ユニット
１９          クリーニングユニット
２０          基板
２１          レジスト膜
２２          ＬＥＤ
２３          抵抗
２４          シルク
【図１】
2010219208.tif 000003
【図２】
2010219208.tif 000004
【図３】
2010219208.tif 000005
【図４】
2010219208.tif 000006